(57)【要約】【課題】被乾燥物をムラなく短時間で乾燥することができ、また清掃しやすく、衛生的で、使いやすい低コストの除湿乾燥機を提供する。【解決手段】上昇流を吹き出す吹出し口１３及び下降流を吸い込む吸い込み口１２を備え、箱体１内の下部に位置して低湿空気流を循環させる除湿乾燥ユニット１０と、箱体１内に立設し上部に通気部５を備えた仕切り板４によって区画され、除湿乾燥ユニット１０の吹出し口１３より吹き出した低湿空気流が上昇して上部通気部５より流出する上昇風路を構成する第１の乾燥室６と、仕切り板４によって区画され、上部通気部５より流入した低湿空気流が下降して除湿乾燥ユニット１０の吸い込み口１２より吸い込まれる下降風路を構成する第２の乾燥室７とからなる。【選択図】        図１
2005329104.tif 000002
【特許請求の範囲】
【請求項１】
上昇流を吹き出す吹出し口及び下降流を吸い込む吸い込み口を備え、箱体内の下部に位置して低湿空気流を循環させる除湿乾燥ユニットと、前記箱体内に立設し上部に通気部を備えた仕切り板によって区画され、前記除湿乾燥ユニットの吹出し口より吹き出した低湿空気流が上昇して前記上部通気部より流出する上昇風路を構成する第１の乾燥室と、前記仕切り板によって区画され、前記上部通気部より流入した低湿空気流が下降して除湿乾燥ユニットの吸い込み口より吸い込まれる下降風路を構成する第２の乾燥室とからなることを特徴とする除湿乾燥機。
【請求項２】
前記第１の乾燥室及び第２の乾燥室の前面側に開閉扉を設けたことを特徴とする請求項１記載の除湿乾燥機。
【請求項３】
前記仕切り板をその面方向とほぼ直交する方向に移動可能に取り付けたことを特徴とする請求項１または２に記載の除湿乾燥機。
【請求項４】
前記第２乾燥室に通気自在な棚部を設けたことを特徴とする請求項１〜３のいずれかに記載の除湿乾燥機。
【請求項５】
前記第２乾燥室の対向する壁面の上下方向に通気自在な棚部を交互に設けたことを特徴とする請求項１〜３のいずれかに記載の除湿乾燥機。
【発明の詳細な説明】
【技術分野】
【０００１】
本発明は、衣類などの除湿乾燥機に係り、さらに詳しくは、仕切り板により区画した除湿乾燥室にほぼ逆Ｕ字状に空気を循環させて衣類などを乾燥させる除湿乾燥機に関する。
【背景技術】
【０００２】
従来の除湿乾燥機は、上下方向に低湿空気が届きにくかったため、循環経路中に庫内攪拌ファンを設けて、低湿空気を循環させていた（例えば、特許文献１参照）。
また、従来の他の除湿乾燥機は、乾燥ムラをなくし乾燥効率を上げるために、筐体内の上下方向に仕切り板を設けて、乾燥室の断面積の２０〜３０％程度を占有する戻り流路を形成していた（例えば、特許文献２参照）。
【０００３】
【特許文献１】特開平６−６３２９９号公報（第２−３頁、図１）
【特許文献２】特開平１１−４７４９７号公報（第２−３頁、図１）
【発明の開示】
【発明が解決しようとする課題】
【０００４】
従来の除湿乾燥機（特許文献１）では庫内に攪拌ファンを設けていたが、この攪拌ファンを設置するためコストが上昇した。
【０００５】
また、従来の他の除湿乾燥機（特許文献２）では仕切板を設けて戻り流路を形成していたが、この戻り流路を形成すると乾燥室が狭くなってしまう。これに対して、乾燥室の容積を確保しようとすると外箱が大きくなり、設置面積が大きくなってしまう。また、戻り流路内に塵挨や衣類クズ等が堆積したり、ダニが発生することもあるが、戻り流路は密閉されているため、塵埃等の堆積等が見えずこれに気づかないこともあり、気づいたとしてもこれを容易に除去することができなかった。
【０００６】
本発明は、上記のような課題を解決するためになされたもので、被乾燥物をムラなく短時間で乾燥することができる低コストの除湿乾燥機を提供することを目的とする。
また、風路内に塵挨や衣類クズ等が付着したり堆積したりしても、清掃しやすく、衛生的で、使いやすい除湿乾燥機を提供することを目的とする。
【課題を解決するための手段】
【０００７】
本発明に係る除湿乾燥機は、上昇流を吹き出す吹出し口及び下降流を吸い込む吸い込み口を備え、箱体内の下部に位置して低湿空気流を循環させる除湿乾燥ユニットと、箱体内に立設し上部に通気部を備えた仕切り板によって区画され、除湿乾燥ユニットの吹出し口より吹き出した低湿空気流が上昇して上部通気部より流出する上昇風路を構成する第１の乾燥室と、仕切り板によって区画され、上部通気部より流入した低湿空気流が下降して除湿乾燥ユニットの吸い込み口より吸い込まれる下降風路を構成する第２の乾燥室とからなるものである。
【発明の効果】
【０００８】
本発明は、仕切り板を立設して箱体を第１の乾燥室と第２の乾燥室に区画し、低湿空気がこれらの乾燥室を通ってほぼ逆Ｕ字状に循環するようにしたので、庫内攪拌ファンを設けなくても、乾燥ムラがなく、安価で効率のよい除湿乾燥を行うことができる。
また、密閉された戻り流路が不要であるため、乾燥室内に塵挨や衣類クズ等が堆積しても容易に清掃することができ、衛生的で使いやすい。
【発明を実施するための最良の形態】
【０００９】
［実施の形態１］
図１は本発明の実施の形態１に係る除湿乾燥機の縦断面図、図２は図１のＡ−Ａ断面図である。図１において、除湿乾燥機の外郭を構成する外箱１の下部には、除湿乾燥ユニット１０が配設されている。また、除湿乾燥ユニット１０の上面から外箱１の天井部分にかけて、外箱１を左右に区画する仕切板４が立設されており、外箱１は第１の乾燥室６と第２の乾燥室７に区画される。第２の乾燥室７の断面積は、第１の乾燥室６の断面積と同程度から第１の乾燥室６の半分程度になるようにしてある。なお、第１乾燥室６と第２乾燥室７には、さらに各々の乾燥室を区画する乾燥室を設けるようにしてもよい。
【００１０】
仕切り板４の上部には、第１の乾燥室６から第２の乾燥室７に空気流を通気させるための上部通気穴５が設けられている。なお、上部通気穴５のかわりに、仕切り板４上部と外箱１の天井部分との間に隙間を設けて空気流を通気させるようにしてもよい。こうして外箱１内には、仕切り板４を境にして、空気が、除湿乾燥ユニット１０を通り、第１乾燥室６をイ方向に上昇し、上部通気穴５をロ方向に通過し、第２乾燥室７をハ方向に下降して循環する乾燥風路が形成される。
【００１１】
除湿乾燥ユニット１０は、空気の吸込み口１２と空気の吹き出し口１３を有する筐体１１を備え、空気の吸い込み口１２は第２乾燥室７側に開口し、空気の吹出し口１３は第１乾燥室６側に開口している。そして、この筐体１１の内部には、吸込み口１２側に位置する除湿乾燥装置１５、除湿乾燥装置１５の下部に位置して除湿により発生したドレン水を貯蔵するドレンタンク１６、除湿乾燥装置１５の下流側に位置する送風装置１７、及び制御装置１８が収容されている。また、空気の吸込み口１２近傍であって除湿乾燥装置１５の上流側には、衣類等から排出された塵挨や衣類クズ等が風路内に付着したり堆積するのを防止するために、空気のろ過装置１４が着脱自在に取り付けられ、さらに空気の吹き出し口１３近傍には、衣類等にムラなく風を当てるための風向き調整装置１９が配設されている。
なお、上記のドレンタンク１６において、その内部に溜まったドレン水は、ドレンタンク１６を取出して排水することによって除去できるようにしてあるが、ドレン配管（図示せず）を設けて、ドレンタンク１６を経由せずに連続して排水するようにしてもよい。
【００１２】
第１乾燥室６と第２乾燥室７の上部には１本のハンガーポール９が取り付けられ、ハンガー４２に掛けた第１の衣類等４０及び第２の衣類等４１を、ハンガーポール９につるして乾燥できるようにしてある。なお、ハンガーポール９は、１本でなく複数本設けてもよい。
【００１３】
図２において、外箱１の前面側に開口部２が設けられ、この開口部２には観音開きの開閉扉３が設けられており、開閉扉３を開いたとき（破線で示す）には、第１乾燥室６と第２乾燥室７の前面は開放され、開閉扉３を閉じたとき（実線で示す）には、外箱１の前面に取り付けたシール８によって内部の空気が外部に漏れないようにしてある。上記の開閉扉３は観音開きとなっているがこれに限定するものではなく、１枚扉であってもよいし、折れ戸であってもよい。
なお、外箱１の内面、開閉扉３の内面、第１乾燥室６及び第２乾燥室７に面した仕切り板４の面には、断熱材および／または防湿対策を施した材料を使用してもよい。
開閉扉３またはその近傍には、除湿乾燥ユニット１０の表示及び操作部２０が設けられている。
【００１４】
上記のように構成した除湿乾燥機によって衣類等を乾燥する手順を説明する。図２に示すように、開閉扉３を破線で示すように開き、第１、第２の衣類等４０、４１を掛けたハンガー４２をハンガーポール９に掛けて、第１乾燥室６及び第２乾燥室７内に収納し、開閉扉３を実線で示すように閉じる。次に、表示及び操作部２０を操作して、除湿乾燥ユニット１０の除湿乾燥装置１５と送風装置１７に通電し、乾燥工程に移る。
図１に示すように、除湿乾燥装置１５を通った低湿空気は、送風装置１７により送風され、乾燥空気が風向き調整装置１９によって第１の衣類等４０にムラなく当たるように調整され、除湿乾燥ユニット１０の空気吹き出し口１３を通って第１乾燥室６に送り込まれる。
【００１５】
第１乾燥室６に送られた乾燥空気はイ方向に上昇し、第１の衣類等４０を乾燥させて水分を吸収し、高湿空気となって仕切り板４の上部に設けた上部通気穴５をロ方向に通過し、第２乾燥室７に送り込まれる。こうして第２乾燥室７に送られた乾燥空気はハ方向に下降し、第２乾燥室７内の第２の衣類等４１を乾燥させて水分を吸収し、さらに高湿空気となって吸い込み口１２より除湿乾燥ユニット１０内に吸い込まれる。第２乾燥室７の第２の衣類等４１には、吹き出し口１３からの低湿空気が直接当たらないため、第２乾燥室７は、薄手の乾きやすい衣類や生地の弱い衣類の乾燥に適する。
【００１６】
高湿空気は、除湿乾燥ユニット１０内のろ過装置１４を経て、除湿乾燥装置１５により再び低湿空気となって送風装置１７により送風されて循環し、以降、第１、第２の衣類等４０、４１が乾燥するまでこの工程を繰返す。このとき、除湿乾燥装置１５により冷却され高湿空気から分離された水分は、ドレン水としてドレンタンク１６に回収される。
第１、第２の衣類等４０、４１が乾燥したときは、表示及び操作部２０を操作して除湿乾燥装置１５等への通電を停止し、開閉扉３を開いて、第１、第２の衣類等４０、４１を取出す。なお、表示及び操作部２０に設定することにより、所定時間経過後、自動的に通電を停止するようにしてもよい。
【００１７】
この場合、ろ過装置１４に付着した塵挨や衣類クズ等は、ろ過装置１４を取り外して容易に除去することができる。また、第１乾燥室６や第２乾燥室７の内部に付着した塵挨や衣類クズ等も、上述の使用時の如く、開閉扉３を開ければ、密閉された部分がないため容易に清掃することができる。
さらに、風向き調整装置１９によって空気が広範囲に吹きだし、第１、第２の衣類等４０をムラなく乾燥することができる。
【００１８】
実施の形態１に示す除湿乾燥機によれば、仕切り板４と第１乾燥室６及び第２乾燥室７を設け、仕切り板４を境にほぼ逆Ｕ字状に空気を循環させるようにしたので、攪拌用送風装置を設けることもなく、乾燥ムラが発生せずに乾燥効率がよく、低コストとなる。
また、第１乾燥室６及び密閉された戻り流路を不要とした第２乾燥室７を設け、その前面には開閉扉３を設けたので、第１、第２の乾燥室６，７内に塵挨や衣類クズ等が堆積しても容易に清掃することができ、衛生的で使いやすい。さらには、乾燥室を広く使用でき、衣類等により使い分けができ、使い勝手がよい。
【００１９】
［実施の形態２］
実施の形態１では除湿乾燥機の仕切り板４を固定状態にして立設したが、本実施の形態２では仕切り板４を横方向、すなわち仕切り板４の面方向とほぼ直交する方向に移動できるようにしたもので、第２乾燥室７の第１乾燥室６に対する断面積比率が、１〜０．５程度に可変できるようにしてある。
例えば、生地が薄めの第２の衣類等４１が多いときには、仕切り板４を移動して第２乾燥室７を広げて断面積比率を上げ、第２乾燥室７の圧力損失を下げて乾燥効率を高めることができる。なお、ハンガーポール９は仕切り板４に連動して伸縮するか、仕切り板４の移動に影響を受けないように固定されている。
その他の構成、作用は、実施の形態１で説明した場合と実質的に同一なので、説明を省略する。
【００２０】
実施の形態２の除湿乾燥機によれば、仕切り板４を移動することにより、第１乾燥室６と第２乾燥室７の断面積の比率を変更することができるので、衣類等の性質によって最適な広さの乾燥室を得ることができ、乾燥ムラが発生せずに効率がよく、使い勝手がよい。
【００２１】
［実施の形態３］
図３は本発明の実施の形態３に係る除湿乾燥機の縦断面図である。なお、実施の形態１と同一部分には同じ符号を付し、説明を省略する。
図３において、仕切り板４により区画された第２乾燥室７に、その通気断面程度の広さを持つワイヤーネット等で構成された通気自在な棚３０を上下方向に着脱自在に取り付けてあり、これによって主に小物衣類等４３を除湿乾燥する。
その他の構成、作用は、実施の形態１で説明した場合と実質的に同一なので、説明を省略する。
【００２２】
ハンカチ等の小物衣類等４３の乾燥は、角ハンガー（図示せず）などを使用すると場所を取り、効率的に干すことができないし、また、第１乾燥室６で乾燥させると、下方吹き出し口１３より吹き上げる低湿空気イにより小物衣類等４３が舞い上がってしまうが、本実施の形態３に示す除湿乾燥機によれば、第２乾燥室に、通気断面程度の広さを持つワイヤーネット等で構成された通気自在な棚３０を着脱自在に設けたので、衣類等により使い分けができ、第２乾燥室７では除湿された空気が上側より下方ハに流れるため、小物衣類等４３を棚３０に載せてさえおけば風により舞い上がることなく除湿乾燥することができ、使い勝手がよい。
【００２３】
［実施の形態４］
図４は本発明の実施の形態４に係る除湿乾燥機の縦断面図である。なお、実施の形態１と同一部分には同じ符号を付し、説明を省略する。
図において、仕切り板４により区画された第２乾燥室７に、その通気断面よりも狭いワイヤーネット等で構成された通気自在な棚３１を、対向する壁面の上下方向に交互に着脱可能に取り付けてあり、これによって主に小物衣類等４３を除湿乾燥する。
その他の構成、作用は、実施の形態１で説明した場合と実質的に同一なので、説明を省略する。
【００２４】
実施の形態４の除湿乾燥機によれば、第２乾燥室７にワイヤーネット等で構成された通気自在な棚３１を対向する壁面の上下方向に交互に着脱可能に取り付けたので、低湿空気が通過しにくい小物衣類等４４を棚３１の全面に乗せたときにも第２乾燥室７の断面全体を塞ぐことなく、除湿空気がニ方向にジグザグ状に下降するので、圧力損失が発生せずに効率のよい除湿乾燥ができ、使い勝手がよい。
【図面の簡単な説明】
【００２５】
【図１】本発明の実施の形態１に係る除湿乾燥機の縦断面図である。
【図２】図１のＡ−Ａ断面図である。
【図３】本発明の実施の形態３に係る除湿乾燥機の縦断面図である。
【図４】本発明の実施の形態４に係る除湿乾燥機の縦断面図である。
【符号の説明】
【００２６】
１  外箱（箱体）、３  開閉扉、４  仕切り板、５  上部通気穴（上部通気部）、６  第１乾燥室（第１の乾燥室）、７  第２乾燥室（第２の乾燥室）、１０  除湿乾燥ユニット、１２  吸い込み口、１３  吹出し口、３０，３１  棚。
【図１】
2005329104.tif 000003
【図２】
2005329104.tif 000004
【図３】
2005329104.tif 000005
【図４】
2005329104.tif 000006